(57)【要約】【課題】本発明の目的は、従来のバイザーバニティにおける欠点を克服する新規のバイザーバニティを提供することである。【解決手段】車両で使用するバイザーバニティであって、バニティミラーと、ミラーのユーザを照明するか又は他の目的用の光源と、車両の電気系統から独立して光源にエネルギーを供給するエネルギー源と、独立した電源によって光源へエネルギーを供給するか又はエネルギーの供給を停止するスイッチと、独立したエネルギー源の消耗を最小限にするように、所定の時間が過ぎると光源へのエネルギーの供給を停止するタイマーとを含む。光源は、１つ又は複数のＬＥＤを含み得る。【選択図】図１
2008230598.tif 000002
【特許請求の範囲】
【請求項１】
電気系統を有する車両用のバイザーバニティであって、
前記バイザーバニティは、バイザー本体を備え、
前記バイザー本体は、
バニティミラーと、
光源と、
前記光源にエネルギーを供給し、前記車両の前記電気系統から独立したエネルギー源と、
前記エネルギー源によって、前記光源にエネルギーを供給させるスイッチと、
所定の時間が過ぎた後に、前記光源へのエネルギーの供給を停止させるタイマーと、を含む、バイザーバニティ。
【請求項２】
前記バイザー本体は、前記バニティミラーを覆うか又は露出させるミラーカバーを含む、請求項１に記載のバイザーバニティ。
【請求項３】
前記ミラーカバーの露出位置への移動によって、前記スイッチに前記光源へエネルギーを供給させる、請求項２に記載のバイザーバニティ。
【請求項４】
前記ミラーカバーの覆い位置への移動によって、前記スイッチに前記光源へのエネルギーの供給を停止させる、請求項３に記載のバイザーバニティ。
【請求項５】
前記ミラーカバーはスライドカバーである、請求項４に記載のバイザーバニティ。
【請求項６】
前記ミラーカバーはヒンジカバーである、請求項４に記載のバイザーバニティ。
【請求項７】
前記エネルギー源は少なくとも１つのバッテリである、請求項１に記載のバイザーバニティ。
【請求項８】
前記スイッチは、所定の長さの時間が過ぎた後に、前記光源へのエネルギーの供給を停止する、請求項１に記載のバイザーバニティ。
【請求項９】
前記光源はＬＥＤである、請求項１に記載のバイザーバニティ。
【請求項１０】
前記光源を覆うレンズを含む、請求項９に記載のバイザーバニティ。
【請求項１１】
前記エネルギー源は、必要時に取り外して交換できるようにアクセス可能である、請求項１に記載のバイザーバニティ。
【請求項１２】
前記バイザー本体は、前記光源を覆う取り外し可能なレンズと、前記エネルギー源と、を含み、
前記エネルギー源は、前記取り外し可能なレンズを取り外すことによって、アクセスして交換できる、請求項１１に記載のバイザーバニティ。
【請求項１３】
前記エネルギー源は少なくとも１つのバッテリである、請求項１１に記載のバイザーバニティ。
【請求項１４】
前記バイザー本体は、前記光源を覆う取り外し可能なレンズと、前記エネルギー源と、を含み、
前記光源及びエネルギー源は、前記取り外し可能なレンズを取り外すことによって、アクセスして交換できる、請求項１１に記載のバイザーバニティ。
【請求項１５】
電気系統を有する車両用のバイザーバニティであって、
前記バイザーバニティは、バイザー本体を備え、
前記バイザー本体は、
バニティミラーと、
光源と、
前記光源にエネルギーを供給し、前記車両の前記電気系統から独立したバッテリエネルギー源と、
前記エネルギー源によって、前記光源にエネルギーを供給させるスイッチと、
所定の時間が過ぎた後に、前記光源へのエネルギーの供給を停止させるタイマーと、
前記バニティミラーを覆うか又は露出させると共に、前記スイッチと協働するミラーカバーと、を有し、
前記ミラーカバーの露出位置への移動によって、前記スイッチに前記光源へエネルギーを供給させ、
前記ミラーカバーの覆い位置への移動によって、前記スイッチに前記光源へのエネルギーの供給を停止させる、バイザーバニティ。
【請求項１６】
前記光源はＬＥＤである、請求項１５に記載のバイザーバニティ。
【請求項１７】
前記光源を覆うレンズを含む、請求項１６に記載のバイザーバニティ。
【請求項１８】
前記バッテリエネルギー源は、必要時に取り外して交換できるようにアクセス可能である、請求項１５に記載のバイザーバニティ。
【請求項１９】
前記バイザー本体は、前記光源を覆う取り外し可能なレンズと、前記バッテリエネルギー源と、を含み、
前記バッテリエネルギー源は、前記取り外し可能なレンズを取り外すことによって、アクセスして交換できる、請求項１８に記載のバイザーバニティ。
【請求項２０】
電気系統を有する車両用のバイザーバニティであって、
前記バイザーバニティは、バニティミラー／光源アセンブリを有するバイザー本体を備え、
前記バニティミラー／光源アセンブリは、
ベゼルと、
反射面を有し、該反射面が前記バイザーバニティのユーザによって使用できるように前記ベゼルに取り付けられたバニティミラーと、
前記ベゼルに取り付けられた光源と、
前記光源にエネルギーを供給し、前記車両の前記電気系統から独立したバッテリエネルギー源と、
前記エネルギー源に前記光源へのエネルギーの供給を可能にさせるか又は不可能にさせるスイッチと、
所定の時間が過ぎた後に、前記光源へのエネルギーの供給を停止するように取り付けられたタイマーと、
前記バニティミラーを覆うか又は露出させるように前記ベゼルに取り付けられたミラーカバーであって、該ミラーカバーの露出位置への移動によって、前記スイッチに前記光源へエネルギーを供給させるミラーカバーと、を含む、バイザーバニティ。
【発明の詳細な説明】
【技術分野】
【０００１】
［発明の詳細な説明］
本発明は包括的には、バニティミラー及びバイザーのユーザを照明する光源を有する、車両のサンバイザーに関する。
【背景技術】
【０００２】
自動車及びトラック等の車両は一般的に、サンバイザーを採用している。このようなバイザーは通常、バニティミラー及びバニティミラーのユーザを照明する光源を含む。光源は通常、車両の電気系統によってエネルギーを供給される。そうする際に、車両の電気系統からそのようなバニティの光源まで延びる電線用導管（配線）が必要である。このような電線用導管は通常、バイザーの支持アームを通って延びる。
【０００３】
車両の電気系統から独立しているエネルギー源（バッテリ等）が、光源にエネルギーを供給するために、バイザーバニティ（visor vanity）自身の中に位置し得る（例えば米国特許第６，４４９，８６８号を参照）。これが、車両の電気系統とバイザーとの間に電線用導管（配線）を延ばすことに必要な労働及び材料コストをなくす。しかし、この構成はいくつかの欠点を有する。第１に、白熱電球等の通常用いられる光源は、バッテリ等の独立した電源における使用を実際的ではないものにするエネルギー量を消費する。このような場合、バッテリは交換される必要があるまでの寿命が比較的短い。第２に、バニティの光源が誤って付けたままとなる場合、バッテリ等の独立した電源は消耗し、再び交換されなければならない。
【発明の開示】
【発明が解決しようとする課題】
【０００４】
したがって、本発明のバイザーバニティは上記の問題を克服することが目的である。
【課題を解決するための手段】
【０００５】
より詳細には、バニティミラーと、光源と、光源にエネルギーを供給し、車両の電気系統から独立したエネルギー源と、エネルギー源によって、光源にエネルギーを供給させるスイッチと、所定の時間が過ぎた後に、光源へのエネルギーの供給を停止させるタイマーと、を含むバイザー本体を提供することが本発明の目的である。
【０００６】
バニティミラーを覆うか又は露出させるミラーカバーを含むことが本発明のさらなる目的である。このような場合、ミラーカバーの露出位置への移動によって、スイッチに光源へエネルギーを供給させることができる。さらに、ミラーカバーの覆い位置への移動によって、スイッチに光源へのエネルギーの供給を停止させることができる。ミラーカバーは、スライドカバー又はヒンジカバーであり得る。
【０００７】
本発明の別の目的では、スイッチはプランジャスイッチであり得る。スイッチは、所定の長さの時間が過ぎた後に、前記光源へのエネルギーの供給を停止し得る。
【０００８】
本発明のさらに別の目的では、エネルギー源は少なくとも１つのバッテリであり得る。エネルギー源は、必要時に取り外して交換できるようにアクセス可能であり得る。例えば、バイザー本体は、光源を覆う取り外し可能なレンズと、エネルギー源と、を含んでもよく、エネルギー源は、取り外し可能なレンズを取り外すことによってアクセスして交換できる。或いは、バイザー本体は光源を覆う取り外し可能なレンズと、エネルギー源と、を含んでもよく、光源及びエネルギー源は、取り外し可能なレンズを取り外すことによって、アクセスして交換できる。
【０００９】
本発明のさらに別の目的では、光源はＬＥＤであり得る。エネルギー源は少なくとも１つのバッテリであり得る。
【００１０】
本発明のさらに別の目的では、バイザーバニティはバイザー本体を備え、バイザー本体は、バニティミラーと、光源と、光源にエネルギーを供給し、車両の電気系統から独立したバッテリエネルギー源と、エネルギー源によって、光源にエネルギーを供給させるスイッチと、所定の時間が過ぎた後に、光源へのエネルギーの供給を停止させるタイマーと、バニティミラーを覆うか又は露出させると共にスイッチと協働するミラーカバーと、を有し、ミラーカバーの露出位置への移動によって、スイッチに光源へエネルギーを供給させ、ミラーカバーの覆い位置への移動によって、スイッチに光源へのエネルギーの供給を停止させる。
【００１１】
また、本発明のさらに別の目的では、光源はＬＥＤであり得る。バッテリエネルギー源は、必要時に取り外して交換できるようにアクセス可能である。バイザー本体は、光源を覆う取り外し可能なレンズと、バッテリエネルギー源とを含んでもよく、バッテリエネルギー源は、取り外し可能なレンズを取り外すことによって、アクセスして交換できる。
【００１２】
本発明のさらに別の目的では、バイザーバニティは、バニティミラー／光源アセンブリを有するバイザー本体を備える。バニティミラー／光源アセンブリは、ベゼルと、反射面を有し、反射面がバイザーバニティのユーザによって使用できるようにベゼルに取り付けられたバニティミラーと、ベゼルに取り付けられた光源と、光源にエネルギーを供給し、ベゼルに取り付けられ、車両の電気系統から独立したバッテリエネルギー源と、エネルギー源に光源へのエネルギーの供給を可能にさせるか又は不可能にさせ、ベゼルに取り付けられたスイッチと、所定の時間が過ぎた後に、光源へのエネルギーの供給を停止し、ベゼルに取り付けられたタイマーと、を含む。
【００１３】
本発明のさらに別の目的では、バイザーバニティは、バニティミラーを覆うか又は露出させるようにベゼルに取り付けられたミラーカバーであって、ミラーカバーの露出位置への移動によってスイッチに光源へエネルギーを供給させる、ミラーカバーを含み得る。
【発明を実施するための最良の形態】
【００１４】
図１を参照すると、バイザーアセンブリ１００は、バイザー２００、及び従来の設計のバイザーブラケット３０２を有するバイザーアーム３００を含む。
【００１５】
バイザーアーム３００は通常、バイザーブラケット３０２に取り付けられ、これがさらに車両の屋根（図示せず）の板金等の任意の適した取り付け面に取り付けられ得る。バイザーアーム３００は通常、バイザーアーム３００がバイザー２００と共に所望の位置に移動できるように、バイザーブラケット３０２に枢着される。例えば、バイザーアーム３００は通常、バイザー２００が車両の前方窓又は側方窓に隣接するような位置に移動できるように、バイザーブラケット３０２において枢動し得る。このようなブラケット及び枢着は当該技術分野において既知であり、本明細書ではさらに詳細には説明しない。
【００１６】
バイザー２００は、バイザー２００がバイザーアーム３００に対して回転することができるようにトルク制御器（torque control）によってバイザーアーム３００に取り付けられるのが好ましい。このようなトルク制御器は、美観的な理由からバイザー２００内に取り付けられるのが好ましい。任意の適したタイプのトルク制御器又は他の機構を用いて、バイザー２００をバイザーアーム３００に対する種々の回転位置間で移動させ、且つそこに保持することが可能である。これにより、バイザー２００を下方のほぼ垂直位置と、ほぼ水平若しくはそれよりも高い上昇位置との間で移動させることが可能になる。このようなトルク制御器の構成は従来技術において既知であり、本明細書ではさらに詳細には説明しない。
【００１７】
図１〜図４に示すように、図示のバイザーの実施形態では、バイザー２００はバイザー本体２０２及びバニティミラー光源アセンブリ４００を含む。バニティミラー光源アセンブリ４００は、バニティベゼル４１０と、バニティベゼル４１０にヒンジ接続されているカバー４３０と、光源アセンブリ４４０と、スイッチ４５０と、タイマー４６０と、エネルギー源４７０と、回路基板４８０とを含む。
【００１８】
バイザー本体２０２は、実質的に中実又は中空であってもよく、プラスチック、発泡材、プレスボード、又は他の任意所望の材料から形成される基材を含み得る。任意の適したバイザー本体の形態又は構造を本発明と共に用いることができる。バイザー本体２０２は、この特定の実施形態では、前方本体部２０４及び後方本体部２０６を有する一体型のクラムシェル構造から形成される。前方本体部２０４及び後方本体部２０６の外面２０８は、織物、布、ビニル、皮、又は他の任意の適した材料若しくは材料の組合せ等、適当なカバー２１０によって覆われることができる。前方本体部２０４及び後方本体部２０６は、一辺に沿ったライブヒンジ２１２によって接続されてもよい。
【００１９】
バイザー本体２０２は、クラムシェル構造を有するそのようなバイザー本体２０２等の組み立てにおいて役立つ本体スナップ部（body snap）等の固定機構も含み得る。このような本体スナップは、Whiteその他に対して１９９１年１０月８日に発行された米国特許第５，０５４，８３９号に開示されているロッキングピン及びソケットスナップ等の任意の適した形態のものであり得る。このようなスナップは、後方本体部２０６の内面２１８に沿った適当な位置に位置付けられるソケット又は雌スナップレセプタ２１６と、前方本体部２０４の内面２１８に沿った適当な位置に位置付けられるロッキングピン又は雄スナップ突起２２０と、を有してもよく、それにより、クラムシェルバイザー本体２０２を閉じると、雄スナップ突起２２０が雌スナップレセプタ２１６に隣接し、且つこれと係合してロックするようにする。雌スナップレセプタ２１６及び雄スナップ突起２２０の噛み合いは、そのようなクラムシェルバイザー本体２０２を閉位置に維持するだけではなく、このような構成は、組み立てられるとバイザー本体２０２に構造的剛性を付加するようにも働く。この実施形態において示すように、そのような雌スナップレセプタ２１６及び雄スナップ突起２２０は、一体構成としてバイザー本体２０２に一体成形されてもよい。また、前方本体部と後方本体部とを接続する他の任意の適した機構を用いてもよい。そのような構成では、又は他の任意の適した中空のバイザー本体構成では、バイザー本体２０２内の中空空間をバイザー本体内部空間２２２と呼ぶことができる。
【００２０】
図１、図１ａ、及び図３に示すように、前方本体部２０４は、本体凹部２２４と、任意の適したサイズ及び形態であり且つバイザー本体内部空間２２２と連通する、１つ又は複数の本体開口２２６とを含むことができ、それによりバイザー本体２０２内に収容されるバニティミラー光源アセンブリ４００を使用することができる。図１及び図１ａに示すように、この実施形態では本体凹部２２４は、バニティミラー／光源アセンブリ４００を美観的に好ましい方法で受けるような寸法にされる。
【００２１】
より詳細には、図３及び図４に示す実施形態では、バニティミラー／光源アセンブリは、ベゼル内面４１４に沿って位置するヒートステーク突起（heat stake protrusions）４１２を有するベゼル４１０を含み、一方でバイザー本体２０２の前方本体部２０４はヒートステーク開口２２８を含む。この実施形態のバイザーアセンブリ２０２の組み立て中、及び、前方本体部２０４がバイザー本体２０２の後方本体部２０６に対して折られ且つ接続される前に、完成したミラー／光源アセンブリ４００を本体凹部２２４内に配置し、ヒートステーク突起４１２がヒートステーク開口２２８に挿通されるようにする。次に、ヒートステーク突起４１２の端部が変形し、バニティミラー／光源アセンブリがバイザー本体２０２の前方本体部２０４の本体凹部２２４内の所定位置に固定されるようにする、ヒートステークプロセスが行われる。
【００２２】
図１に示すように、バニティミラー／光源アセンブリ４００のベゼル４１０は任意の適した形態のミラー開口部４１６を有し得る。図１及び図４に示すように、ミラー４２８は任意の適した方法でベゼル内面４１４に取り付けられることができ、それによりミラー４２８の反射面４２９がベゼル４１０のミラー開口部４１６において露出されてバニティミラー／光源アセンブリ４００のユーザが利用可能であるようにする。ミラー４２８は、任意の適した方法でベゼル４１０に取り付けられ得る。このような取り付け方法は当該技術分野において既知である。図示の実施形態では、ミラー４２８は、ヒートステーク４１５（heat staking）によってベゼル内面４１４に取り付けられる。
【００２３】
図４に示すように、この実施形態のベゼル４１０はベゼル光源用凹部（light recess）４１８及びベゼル光源用凹部開口４１９も含む。光源４４２及び光源取付部４４４を含む光源アセンブリ４４０は、光源４４２が光源用凹部４１８内に位置するようにアセンブリ上に配置することができる。光源４４２は、発光ダイオード（ＬＥＤ）、液晶ディスプレイ（ＬＣＤ）又は白熱電球等の任意所望の光源であり得る。白熱電球の場合、又は他の所望のものである場合に、光源取付部は、光源４４２を所望であれば取り外して交換することができるようにするソケットを含み得る。ＬＥＤは、エネルギー消費が少ないことにより、バッテリ等の独立したエネルギー源の耐用年数を延ばすため好ましい。図１及び図４に示す実施形態では、１つのＬＥＤ電球４４６が用いられている。しかし、任意所望の特徴を有する任意の数の電球を用いることができる。
【００２４】
図１、図４、及び図６ａ及び図６ｂに示す実施形態では、電球４４６は、電極を有し得る光源取付部４４４内に動作可能に取り付けられ、光源取付部４４４が電気回路４８２に動作可能に接続されることができるようにする。光源取付部４４４は、光源４４２を任意の適した方法で光源用凹部４１８内に配置するように取り付けられ得る。例えば、図１及び図４の実施形態に示すように、光取りつけ部４４４は、例えばヒートステーク、スナップ、又ははんだ付け等の任意の適した方法で回路基板４８０に取り付けられることができる。後者は、光源取付部４４４が、回路基板４８０の回路４８２に動作可能にはんだ付けされ得る電気リードを有する場合に特に適切であり得る。別の代替形態として、光源４４２のリードは、いかなる光源取付部も使用せずに回路基板４８０の回路４８２に動作可能にはんだ付けされ得る。そのような取付部は当該技術分野において既知であり、本明細書ではさらに詳細には説明しない。さらに、光源は、バニティ本体、バニティベゼル若しくは回路基板等に、又はこれらの中に、ヒートステーク、はんだ付け、又はそれ以外を含む、任意の適した方法で他の任意の適した位置に動作可能に配置され取り付けられ得る。そのような取付部は当該技術分野において既知であり、本明細書ではさらに詳細には説明しない。
【００２５】
レンズ４９０は、光源４４２からの光を拡散するために設けられ、任意の適した若しくは所望の方法でバイザー本体２０２又はバニティベゼル２１０に取り付けられ得る。図１及び図４に示す実施形態では、レンズ４９０は、下にある光源４４２を覆うために、ベゼル４１０の光源／レンズ開口部内にスナップ嵌めされるように設計される。そのようなスナップ嵌め又は他の適した取り付け方法は当該技術分野において既知であり、本明細書ではさらに詳細には説明しない。
【００２６】
カバー４３０は、覆い位置から露出位置へ、且つその逆にも移動することができるように、任意の適した方法でベゼル４１０に接続され得る。図示の実施形態では、カバー４３０は、カム及びばねヒンジ４３２の構成によってベゼル４１０に接続され、カバー４３０が完全な覆い位置又は完全な露出位置に留まりやすくする。このような構成は当該技術分野において既知であり、本明細書ではさらに詳細には説明しない。さらに、これらの実施形態ではカバー４３０は、ベゼルにヒンジ接続して示されているが、このようなカバーは、バイザー本体２０２にも同様にヒンジ接続され得る。カバー４３０はこれらの実施形態ではヒンジ接続可能に取り付けられるものとして示されているが、このようなカバー４３０は、所望のようにミラーを覆うと共に露出させるように、摺動、枢動、又は他の任意の方法で動くことができるように取り付けられ得る。
【００２７】
本発明のエネルギー源４７０は、車両の電気系統とは独立したものである。エネルギー源４７０は、１つ又は複数のバッテリ４７２等の任意所望の独立したエネルギー源であり得る。このような場合、任意の適当な数及び容量のバッテリを使用することができる。図１及び図４に示す実施形態では、エネルギー源４７０は３つの１．５Ｖバッテリを直列に含み得る。リチウム式バッテリ等の任意の適したベッテリーを使用することができる。この実施形態に示すように、バッテリ４７２は回路基板４８０に取り付けられ得る。このような取り付けは、電気回路４８２（例えば図６ａ及び図６ｂを参照）に動作可能に接続され得るように電極を有するバッテリ取り付けクリップ等の、そのようなバッテリ用の標準的な取付部を使用すること等により、任意の適した方法でなされ得る。そのような取り付け機構は当該技術分野において既知であり、本明細書ではさらに詳細には説明しない。この実施形態のエネルギー源４７０は、回路基板４８０に取り付けられるように示されているが、バニティ本体２０２又はバニティベゼル４１０を含むバニティアセンブリへ、又はこの中等の、任意の適した方法で任意の適した位置に取り付けられ得ることに留意されたい。例えば、図示していないが、エネルギー源は、バニティ又はバイザー本体の区画内に取り付けられることができ、そのような区画は、バッテリ又は他のそのような独立したエネルギー源４７０を所望時に交換することができるように取り外し可能なカバーを有する。
【００２８】
代替的に、エネルギー源はベゼルの区画内に取り付けられてもよく、そのような区画は、バッテリ又は他のそのような独立したエネルギー源４７０を所望時に取り外して交換することができるように取り外し可能なカバーを有する。そのような構成の１つの可能な実施形態は図１及び図５に示され、これらの図は、バニティミラー／光源アセンブリ４００が組み立てられると、バッテリ４７２がベゼル凹部４１８内のレンズ４９０の下の光源４４２のいずれかの側に位置するようにする、回路基板４８０に取り付けられる２つのバッテリ４７２の使用を示す。バッテリ４７２の回路基板４８０へのそのような取り付けは、電気回路４８２（例えば図６ａ及び図６ｂを参照）に動作可能に接続され得るように電極を有するバッテリ取り付けクリップ等の、そのようなバッテリ用の標準的な取付部を使用すること等により、任意の適した方法で行うことができる。そのような取り付け機構は当該技術分野において既知であり、本明細書ではさらに詳細には説明しない。この実施形態では、レンズ４９０は、取り外し可能であることにより所望時にバッテリを取り外して交換することができるように、任意の適した方法又は所望の方法でバニティベゼル２１０に取り付けられ得る。例えば、図１及び図５に示す実施形態では、レンズ４９０は、下に位置する光源４４２及びバッテリ４７２を覆うためにベゼル４１０の光／レンズ開口部４２４内にスナップ嵌めされるように設計され得る。これにより、バッテリ４７２と同様に光源４４２を所望時に交換することができる。そのようなスナップ嵌め又は他の適した取り付け方法は当該技術分野において既知であるため、本明細書ではさらに詳細には説明しない。
【００２９】
任意の実施形態において、スイッチ４５０は、カバー４３０が開位置にあると光源４４２にエネルギーを供給するように回路を閉じ、且つカバー４３０が閉位置にあると光源４４２へのエネルギーの供給を停止するように回路を開くように働くならば、任意所望の形態を有するか、又は任意所望の機構であることができる。使用される任意のそのようなスイッチは、電気回路４８２（例えば図６ａ及び図６ｂを参照）に動作可能に接続され得るように電極を含み得る。図示の実施形態では、光スイッチ４５０は、ベゼル４１０のプランジャ開口４２０を通って、ベゼルの前面４２２を越えて延びるプランジャ４５４を有するプランジャスイッチであり、カバー４３０を閉じるか又は開くそれぞれの際に押し込まれるか又は開放されるようにする。カバー４３０は、ヒンジ接続されるのではなく摺動又は枢動するように取り付けられる場合、当該技術分野では既知である代替的なスイッチ構成を使用してもよい。実際に、カバーがヒンジ接続される場合でも、プランジャスイッチ４５２以外のスイッチを用いることができる。スイッチ４５０はバイザー本体２０２、ベゼル４１０、回路基板４８０又は他の任意の適した位置に、任意の適した方法で取り付けることができる。プランジャスイッチ４５２は、熱かしめ又は他の任意の適した取り付け方法によりベゼル４１０の適した位置に取り付けられ得る。図４に示す実施形態では、ベゼル４１０は、回路基板４８０がベゼル４１０と組み付けられると、プランジャ４５４がベゼル４１０のプランジャ開口部４２０を通って延びるようにプランジャスイッチ４５２が適当な位置にあるように、回路基板４８０を取り付けられ得る。このような場合、任意の適した取りつけ方法を用いることができる。そのような取りつけ方法は当該技術分野において既知であるため、本明細書ではさらに詳細には説明しない。
【００３０】
バイザーアセンブリ１００は、所定の時間後に光源４４２へのエネルギーの供給を停止するように働くタイマー４６０も含む。このようなタイマーは、電気回路４８２（例えば図６ａ及び図６ｂを参照）に動作可能に接続され得るように電極を有し得る。より詳細には、例えば、カバー４３０が誤って開位置にあるままの場合、所定の長さの時間後に光源４４２へのエネルギーの供給を停止し、エネルギー源４２０の使用量を節減するか又は低減するようにする。これにより、バッテリ等のエネルギー源４２０が誤って消耗されることが防止される。スイッチ４５０がカバー４３０の開閉又は他の方法によって再び作動されると、そのようなタイマー４６０はリセットされる。タイマー４６０は、所望の作用を提供するように電気回路４８２内に組み込まれる別個の構成要素であり得る。任意の適したタイマー４６０を使用することができるが、タイマー４６０はスイッチ４５０の構成要素として組み込まれてもよい。例えば、タイマー４６０を組み込むプランジャスイッチ４５２が適当である。このようなタイマーはバイザー本体２０２、ベゼル２１０、回路基板４８０又は他の任意の適した場所に、任意の適した取り付け方法により動作可能に取り付けられ得る。例えば、そのようなタイマー４６０のリードは、回路基板４８０の回路４８２に動作可能にはんだ付けされ得る。このような取り付け方法は当該技術分野において既知であるため、本明細書ではさらに詳細には説明しない。
【００３１】
回路基板４８０は、任意の適した構成であり、任意所望の電子構成要素及び電気回路４８２（例えば図６ａ及び図６ｂを参照）を含み得る。任意の回路４８２は、エネルギー源４２０、スイッチ４５０、タイマー４６０、及び光源４４２（例えばＬＥＤ４４６）を含むように構成され、カバー４３０を開きスイッチ４５０を閉じると光源４４２にエネルギーが供給され、カバー４３０を閉じてスイッチ４５０を開くと光源４４２へのエネルギーの供給が停止されるようにし、且つカバー４３０が特定の期間開いているとタイマー４６０が光源へのエネルギーの供給を停止するように動作し、それによりエネルギー源４２０及び光源４４２の両方の寿命を浪費しないようにし得る。
【００３２】
さらに、これらの実施形態には示さないが、バイザーアセンブリ１００は、カバー４３０の代わりにバニティミラーのユーザによって操作されるスイッチを含むことができる。代替的に、バイザーセンブリ１００はユーザスイッチを含み、タイマー４６０の時間を越える長さの時間光源４４２にエネルギーを供給することが望まれる場合、ユーザが、光源にエネルギーを供給するためにそのようなユーザスイッチを押す（engage）ことができるようにしてもよい。そのようなスイッチの代替物は電気回路４８２の動作可能な部品であり、任意のそのようなユーザスイッチはベゼルの前面４２２に位置し得る。
【００３３】
図２は、本発明の多くの可能な代替実施形態のうちの別の１つを開示する。図示のこの実施形態では、ベゼル光源用凹部４１８内のレンズ４９０の下にある光源アセンブリ４４０の代わりに、ベゼルは、ＬＥＤ開口部４２７を含み、これを通って２つのＬＥＤ４４７が突出している。レンズは必要ない。ＬＥＤは任意の適した方法で回路基板又はベゼルに取り付けられ得る。もちろん、ＬＥＤ以外の光源も使用することができる。ＬＥＤが使用される場合、任意の適当なＬＥＤが使用され得る。２．８Ｖ〜４．０Ｖの順電圧を有する２つの３ｍｍイエローホワイトＬＥＤ電球が適当であり得る。しかし、任意所望の特徴を有する任意の数の電球を使用することができる。
【００３４】
図６ａは、タイマー４６０が上述したようにスイッチ４５０の構成要素として組み込まれる場合に使用され得る、多くの可能な回路４８２のうちの１つを簡略化した図である。回路は、所望の他の構成要素を含み得る。スイッチは、カバー起動型スイッチ、ユーザ起動型スイッチ、又はそれ以外のものであり得る。このサンプルの実施形態における回路４８２の他の要素は、ＬＥＤ４４６、レジスタ４４９、及びバッテリエネルギー源４７２である。図６ｂは、タイマー４６０を含む代替的な可能な回路４８２の簡略化した図を示し、スイッチの形態のタイマー４６０は光源スイッチ４５０とは別個の構成要素である。同様に、光源スイッチは、カバー起動型スイッチ、ユーザ起動型スイッチ又はそれ以外のものであり得る。
【００３５】
本発明の実施形態を図示及び説明したが、これらの実施形態が本発明のすべての可能な形態を図示及び説明することは意図していない。むしろ、明細書中に用いられる用語（words）は限定するよりむしろ説明のための用語であり、本発明の精神及び範囲から逸脱することなく様々な変更を行うことができることが理解される。
【図面の簡単な説明】
【００３６】
【図１】本発明の第１の実施形態によるバイザーアセンブリの斜視図である。
【図１ａ】図１の線１ａ−１ａに沿ったバイザーの部分断面図である。
【図２】本発明の第２の実施形態によるバイザーアセンブリの斜視図である。
【図３】本発明の第１の実施形態に従って使用され得る、組み立てられたバニティミラー光源アセンブリの背面斜視図である。
【図４】図３のバニティミラー光源アセンブリの第１の実施形態を示す分解図である。
【図５】図３に示すバニティミラー光源アセンブリに対する代替実施形態を示す分解図である。
【図６ａ】本発明による回路の例示実施形態の概略図である。
【図６ｂ】本発明による回路の例示代替実施形態の概略図である。
【図１】
2008230598.tif 000003
【図１ａ】
2008230598.tif 000004
【図２】
2008230598.tif 000005
【図３】
2008230598.tif 000006
【図４】
2008230598.tif 000007
【図５】
2008230598.tif 000008
【図６ａ】
2008230598.tif 000009
【図６ｂ】
2008230598.tif 000010
【外国語明細書】
2008230598.tif 000011
2008230598.tif 000012
2008230598.tif 000013
2008230598.tif 000014
2008230598.tif 000015
2008230598.tif 000016
2008230598.tif 000017
2008230598.tif 000018
2008230598.tif 000019
2008230598.tif 000020
2008230598.tif 000021
2008230598.tif 000022
2008230598.tif 000023
2008230598.tif 000024
2008230598.tif 000025
2008230598.tif 000026
2008230598.tif 000027
2008230598.tif 000028
2008230598.tif 000029
2008230598.tif 000030
2008230598.tif 000031